(57)【要約】【課題】原稿自動給送装置等のシート搬送装置にあっては、ベース部と開閉部材との間の隙間から音が漏れる。【解決手段】開閉部材４２の回動支点Ｔ側の側板４５に移動自在に閉塞（遮音）部材４６を支持する。開閉部材を閉じた使用状態にあっては、遮音部材４６は、開閉部材４２とベース部４１との間の隙間Ｇを閉塞して、筐体２５内部からの騒音が外部に漏れることを減少する。開閉部材４２を開放する際は、遮音部材４６が開閉部材内部方向に移動して、開閉部材の回動操作を妨げない。【選択図】図３
2016122907.tif 000002
【特許請求の範囲】
【請求項１】
ベース部と該ベース部に回動自在に連結された開閉部材とを有する筐体を備え、該筐体の内部にシートを搬送するシート搬送手段を備えたシート搬送装置において、
前記開閉部材の回動支点側の側板に移動自在に閉塞部材を支持し、
該閉塞部材は、前記開閉部材の閉じ位置において該開閉部材と前記ベース部との隙間を閉塞し、前記開閉部材の回動に応じて前記隙間を閉塞する位置から移動する、
ことを特徴とするシート搬送装置。
【請求項２】
前記ベース部の回動支点側に、前記開閉部材に向けて突出する突出リブを設け、
前記閉塞部材は、前記開閉部材の開放時に前記突出リブに当接して該開閉部材の内部方向に移動する、
請求項１記載のシート搬送装置。
【請求項３】
前記開閉部材は、前記ベース部との間で構成される前記シート搬送路を分割するように開放される、
請求項１又は２記載のシート搬送装置。
【請求項４】
前記シート搬送装置は、給紙トレイ上の原稿を読取部を通って排紙トレイに向けて搬送する原稿自動給送装置である、
請求項１ないし３のいずれか１項記載のシート搬送装置。
【請求項５】
前記閉塞部材は、該閉塞部材自体の重力により前記開閉部材と前記ベース部との隙間を閉塞する、
請求項１ないし４のいずれか１項記載のシート搬送装置。
【請求項６】
前記閉塞部材は、ばねにより前記開閉部材と前記ベース部との隙間を閉塞するように付勢される、
請求項１ないし５のいずれか１項記載のシート搬送装置。
【請求項７】
前記閉塞部材は、シート搬送方向に交差するシート幅方向に長い板状部材からなり、
該閉塞部材に、上方に延びるラグと該ラグ先端に固定され該ラグと交差するように延びる横桟とを有するＴ字状の支持部材を固定し、
前記開閉部材の前記側板に、該側板と所定隙間を存して平行に配置される上板を有し、該上板に縦溝及び横溝からなるＴ字状の貫通孔が形成されたガイド部材を固定し、
前記支持部材を前記貫通孔に挿入して、前記ラグを前記縦溝に案内すると共に、前記横桟を前記上板と前記側板との間の空間に受入れて抜止めし、前記閉塞部材を前記側板に上下方向移動自在に支持する、
請求項１ないし６のいずれか１項記載のシート搬送装置。
【発明の詳細な説明】
【技術分野】
【０００１】
本発明は、ベース部に回動自在に連結された開閉部材を有するシート搬送装置に係り、特に原稿自動給送装置に適用して好適なシート搬送装置に関する。
【背景技術】
【０００２】
一般に、ベース部と該ベース部に回動自在に連結された開閉部材とを有する筐体を備えたシート搬送装置にあっては、該筐体に内包されたシート搬送路及びローラ対等の駆動源からの騒音が上記ベース部と開閉部材との隙間から外部に漏れることがある。
【０００３】
従来、原稿自動給送装置（ＡＤＦ）において、給紙口とピックアップローラの間の隙間、及び排紙口と排紙ローラ対との間の隙間に、シール部材を設けて原稿搬送部を有する装置本体（筐体）内を密閉することが提案されている（特許文献１参照）。
【０００４】
更に、該特許文献１には、上記給紙口及び排紙口以外の本体に設けられた通気孔にもシール部材を設けて密閉することが提案されており、また給紙トレイや排紙トレイ、並びに給紙口及び排紙口を覆うようにカバーを設けることも提案されている。
【先行技術文献】
【特許文献】
【０００５】
【特許文献１】特開２００６−１９３２８９号公報
【発明の概要】
【発明が解決しようとする課題】
【０００６】
上記給紙口、排紙口、更にその他の通気孔にシール部材を設けたものは、原稿の搬送中に高周波な制御音、搬送ローラ対の駆動音、原稿同士或いは原稿と経路との摺動音が装置本体（筐体）から外部に漏出することを減少して、環境負荷を低減し得る。
【０００７】
しかし、給紙口にピックアップローラにより原稿を装置本体内に送り込む際、及び排紙口から排紙ローラ対により原稿を装置本体外に排出する際、原稿にシール部材が当接して原稿の滑らかな移動を阻害する虞があり、特に原稿が薄くコシの弱い場合、給紙又は排紙不良となる場合がある。また、通気孔をシール部材で密閉すると、装置本体内からの排熱又は排気に支障を来す虞がある。
【０００８】
また、給紙トレイ及び排紙トレイをカバーで覆うものは、給紙時にピックアップローラにより搬送される最上位の原稿がその下の原稿と摺動するときの騒音や排紙ローラ対によって排紙される原稿が既に排紙トレイに積載されている原稿と摺動するときの騒音を上記カバーが遮断して、騒音の発生を減少する。
【０００９】
しかし、給紙トレイ上に原稿を載置したり、排紙トレイから原稿を取出す際、いちいちカバーを回動して開放する必要があり、操作が煩わしく面倒になると共に、原稿自動給送装置が大型化してしまう。
【００１０】
そこで、本発明は、簡単でコンパクトな構成により、開閉部材を閉じた状態では、開閉部材とベース部との間の隙間を閉塞部材で閉塞して、筐体内から外部に漏れる騒音を減少し、かつ開閉部材を支障なく開閉し得るシート搬送装置を提供することを目的とするものである。
【課題を解決するための手段】
【００１１】
本発明は、ベース部と該ベース部に回動自在に連結された開閉部材とを有する筐体を備え、該筐体の内部にシートを搬送するシート搬送路手段を備えたシート搬送装置において、前記開閉部材の回動支点側の側板に移動自在に閉塞部材を支持し、該閉塞部材は、前記開閉部材の閉じ位置において該開閉部材と前記ベース部との隙間を閉塞し、前記開閉部材の回動に応じて前記隙間を閉塞する位置から移動する、ことを特徴とするシート搬送装置にある。
【発明の効果】
【００１２】
本発明によると、開閉部材を閉じた使用状態にあっては、筐体の内部で発生する騒音を閉塞部材で遮音して外部に漏れる音を減少し、ユーザは、静粛な環境で作業することができる。また、ジャム処理等により開閉部材を開放する際、閉塞部材は、開閉部材の内部方向等の前記隙間を閉塞位置から移動して、上記開閉部材の開放作動を妨げることはない。
【図面の簡単な説明】
【００１３】
【図１】本発明を適用し得る実施の形態に係る画像形成装置の全体構成を示す概略図。
【図２】本実施の形態による原稿自動給送装置（シート搬送装置）を示す概略図。
【図３】その給紙カバー（開閉部材）の開閉を示す図で、（ａ）は給紙カバーを開いた状態、（ｂ）は閉じた状態を示す。
【図４】給紙カバーを示す斜視図で、（ａ）は閉塞（遮音）部材を上げた状態、（ｂ）は閉塞部材を降ろした状態を示す。
【図５】（ａ），（ｂ），（ｃ）は、閉塞部材を給紙カバーに取付ける過程のそれぞれ異なる状態を示す斜視図。
【図６】一部変更した他の実施の形態を示す閉塞部材部分を示す斜視図。
【発明を実施するための形態】
【００１４】
以下、図面に沿って本発明の実施の形態について説明する。複写機等の画像形成装置１は、図１に示すように画像形成装置本体２と、画像読取装置３と、原稿自動給送装置５と、を備える。画像形成装置本体２と、画像読取装置３とは、画像形成装置本体２の上部に画像読取装置３が重なるよう、筐体２５に一体に配置される。原稿自動給送装置５は、画像読取装置３の上部に、上記筐体２５に開閉自在に配置される。
【００１５】
画像形成装置本体２は、下方に複数の給紙カセット７ａ〜７ｄを挿脱自在に備えており、その上部に画像形成ユニット９及び制御部（ＣＰＵ）１０が配置されている。画像形成ユニット９は、感光ドラム１１、該感光ドラムの回りに配置された帯電器１２、現像器１３、転写部１５及びクリーナ１６を有する。該画像形成ユニット９では、帯電器１２により帯電された感光ドラム１１上に画像読取装置３により読取られた画像情報に基づく露光器１７からの露光により静電潜像が形成され、更に現像器１３からトナーによりトナー像が形成される。該感光ドラム１１上のトナー像は、転写部１５により供給カセットからのシートに転写され、残ったトナーはクリーナ１６により除去される。
【００１６】
給紙カセット７ａ〜７ｄの選択された１個からシートが１枚ずつ分離されて給紙され、搬送路及び搬送ローラ対によりレジストローラ対１８に搬送され、タイミングを合せて上記転写部１５に給送されて、上述したように該シートにトナー像が転写される。該シートは、搬送ベルト１９により定着器２０に送られてトナー像が定着され、排紙トレイ２１に排出される。シート両面に画像形成する場合は、両面用搬送路により裏面に同様に画像が形成されて、更に表裏を反転して頁順にシートが排紙トレイ２１に排出される。
【００１７】
画像読取装置３は、プラテンガラス（原稿載置台）２２、該プラテンガラスの裏面においてシート幅方向に延びかつ左右方向に移動可能な読取ユニット２３を有する。読取ユニット２３は、露光ランプによりプラテンガラス２２上の原稿を露光し、その反射光をミラー等を介してイメージセンサ２４にて読取る。該読取りは、読取ユニット２３をホームポジションに固定して、原稿を原稿自動給送装置５により送りながら読取る流し読みと、原稿をプラテンガラス２２上に固定し、読取ユニット２３を移動しながら読取る固定読みとがある。
【００１８】
原稿自動給送装置５は、画像読取装置３の後端部（図１の紙面奥側）の枢支軸を中心に回動自在に連結されており、画像読取装置３に原稿を送ると共にプラテンガラス２２上の原稿を押える押圧板を兼用して、画像読取装置３の一部を構成する。該原稿自動給送装置５は、原稿を搬送する装置を内包する筐体からなる装置本体２５と、原稿を載置する給紙トレイ２６とを有し、装置本体２５の給紙トレイ２６の下方部分における上面が排出された原稿を載置する排紙トレイ２７を構成する。
【００１９】
装置本体２５は、図２に示すように、給紙トレイ２６上の原稿に接離するように上下方向移動自在なピックアップローラ３０と、複数の原稿搬送路Ｐ１，Ｐ２，Ｐ３，Ｐ４、Ｐ５と、これら搬送路に配置された複数のローラ対と、搬送路の搬送経路を切換える複数のフラッパＦ１，Ｆ２，Ｆ３と、該搬送経路切換えのために原稿シートを検出する複数のセンサ（図示せず）と、を有する。上記ピックアップローラ３０により給紙された原稿を案内する第１の原稿搬送路Ｐ１には、該給紙側から分離部３１、レジストローラ対３２、搬送ローラ対３３，３５が配置されている。上記第１の原稿搬送路Ｐ１の終端から、フラッパＦ１により切換えられて第２の原稿搬送路Ｐ２及び第３の原稿搬送路Ｐ３が延び、第２の原稿搬送路Ｐ２には正逆転し得る排紙ローラ対３６が配置されている。第３の原稿搬送路Ｐ３には正逆転し得る排出ローラ対３７が配置されている。排出ローラ対３７で反転された原稿は、フラッパＦ２により第４の原稿搬送路Ｐ４に導かれ、搬送ローラ対３９及び上記排紙ローラ対３６により搬送される。排紙ローラ対３６で反転された原稿は、フラッパＦ３により第５の原稿搬送路Ｐ５に導かれ、搬送ローラ対４０を介してレジストローラ対３２に搬送される。
【００２０】
上記原稿自動給送装置５は、給紙トレイ２６上の原稿をピックアップローラ３０により給紙して第１の原稿搬送路Ｐ１に搬送する。該原稿は、分離部３１で１枚ずつに分離され、レジストローラ対３２により斜行が補正され、更に湾曲形状の第１の原稿搬送路Ｐ１及び搬送ローラ対３３を介してホームポジションにある読取りユニット２３位置（読取部Ｒ）のプラテンガラス（スリットガラス）上を通過する。上記流し読みにあっては、該通過する原稿を読取りユニット２３が読取り、更に搬送ローラ対３５、第２の原稿搬送路Ｐ２を介して排紙ローラ対３６に搬送される。原稿が片面である場合、片面を読取られた原稿は、排紙ローラ対３６から排紙トレイ２７上に排出される。
【００２１】
原稿が両面にあって両面読取りをする場合、排紙ローラ対３６が原稿の先端側を排紙トレイ２７上に繰出した状態で、該排紙ローラ対３６を逆転して、フラッパＦ３により第５の原稿搬送路Ｐ５に向けて原稿を搬送し、搬送ローラ対４０を介してレジストローラ対３２に向けて搬送する。そして同様に、レジストローラ対３２から第１の原稿搬送路Ｐ１に表裏反対した状態で戻され、原稿の裏面が読取部Ｒで読取られた後、フラッパＦ１により第３の原稿搬送路Ｐ３に導かれる。該原稿は、排出ローラ対３７によりその先端側がプラテンガラス上に繰出された後、上記排出ローラ対３７が逆転して、フラッパＦ２により第４の原稿搬送路Ｐ４に導かれ、搬送ローラ対３９を介して表裏を再反転した状態で排紙ローラ対３６から排紙トレイ２７上に排出される。これにより、両面原稿は、一度表裏を反転して裏面を読込んだ後、再度反転して元の状態に戻され、頁順が揃えられた状態で排紙トレイ２７上に積載される。
【００２２】
上述した固定読みの場合、給紙トレイ２６上の原稿は、第１の原稿搬送路Ｐ１から第３の原稿搬送路Ｐ３に送られ、排紙トレイ２７からプラテンガラス２２上に送られる。この状態で、読取ユニット２３が移動してプラテンガラス上の原稿を読取った後、排出ローラ対３８が逆転して、第４の原稿搬送路Ｐ４を通って排紙ローラ対３６から排紙トレイ２７上に排出される。従って、上記原稿自動給送装置５は、原稿からなるシートを搬送するシート搬送路及びローラ対を備えたシート搬送装置を構成する。
【００２３】
ついで、本発明の要部である原稿自動給送装置（シート搬送装置）の遮音構造について説明する。原稿自動給送装置５の装置本体（筐体）２５は、ベース部４１と給紙カバー（開閉部材）４２とからなり、図３（ａ），（ｂ）に示すように、ベース部４１は、排紙トレイ２７を含み、主要な原稿搬送路を内包する筐体からなる。給紙カバー４２は、ベース部４１に対して左側端部の回動支点Ｔにより開閉自在に連結されており、ジャム処理できるように構成されている。即ち、給紙カバー４２には、ピックアップローラ３０、分離部３１の上部ローラである搬送ローラ３１ａ及びレジストローラ対３２の一方のローラ３２ａが設けられており、第１の原稿搬送路Ｐ１の入口側部分を分割して開放し得る。なお、分離部３１の下部ローラである分離ローラ３１ｂ、レジストローラ対３２の他方のローラ３２ｂ、並びに、他の原稿搬送路Ｐ２，Ｐ３，Ｐ４，Ｐ５、それに付随しているローラ対３３，３５，３６，３７，３９，４０及びフラッパＦ１，Ｆ２，Ｆ３等はベース部４１に設けられている。
【００２４】
ベース部４１の回動支点Ｔ側には遮音用の突出リブ４３が給紙カバー４２に向って突出して形成されており、該リブ４３は、原稿自動給送装置５の幅方向（前後方向）に延び、給紙カバー４２が閉じられた状態でその隙間が狭くなるように形成されている。なお、該リブ４３の突出量は、図３（ａ）に示すように、給紙カバー４２を開放した状態にあっても、該給紙カバーと干渉しないように規定されている。
【００２５】
給紙カバー４２は、図４（ａ），（ｂ）に示すように、左側板４５の内側面４５ａに沿うように、可動部材を構成する閉塞（遮音）部材４６が配置されている。該閉塞部材（以下遮音部材と称する）４６は、幅方向に延びる板状部材からなり、上記左側板の下端縁４５ｂから一部突出し得る上下方向幅を有する。該板状の遮音部材４６は、図５（ａ），（ｂ）に示すよう、その長手方向中間部２箇所に内側に突出する板状のラグ（縦桟）４７ａ，４７ａが固定されており、これらラグ４７ａは、上方に向けて延び、その先端の下端面に上記ラグと交差する方向に延びる横桟（抜け防止部材）４７ｂが一体に固定され、全体としてＴ字状の支持部材４７を構成する。
【００２６】
上記左側板４５の内側面４５ａにおける２箇所にはガイド部材４９，４９が一体に固定されている。該ガイド部材４９は、上板４９ａと、該上板４９ａを、上記左側板４５の内側面４５ａと所定隙間を存して平行に配置する左右上下の側板４９ｂとを有し、これら側板が上記左側板４５に固定された状態で、上記上板４９ａとの間で上面及び４辺が閉塞された空間が形成される。上板４９ａには縦溝５０ａ及び横溝５０ｂからなるＴ字状の貫通孔５０が形成されており、該貫通孔５０は、上記Ｔ字状の支持部材４７に対して僅かに大きな同一形状からなる。
【００２７】
上記遮音部材４６は、図５（ａ）に示すように、そのＴ字状支持部材４７を上記ガイド部材４９のＴ字状貫通孔５０の上方に重なるように位置合せし、上記支持部材４７の横桟４７ｂが、図５（ｂ）に示すように、貫通孔の横溝５０ｂを貫通して上記空間内に入れられる。遮音部材４６は、図５（ｃ）に示すように、支持部材４７のラグ（縦桟）４７ａがガイド部材４９の縦溝５０ａに案内されて下方に移動され、この状態で、該遮音部材４６は、左右方向移動がラグ４７ａの縦溝５０ａでのガイドにより規制され、上下方向移動が横桟４７ｂの支持部材の上下側板４９ｂとの当接により規制され、かつ左側板４５から離脱する方向の移動が横桟４７ｂの上板４９ａによる抜止めにより規制される。これにより、遮音部材４６は、左側板４５の下端縁４５ｂに平行にかつ該左側板の内側面４５ａに沿って所定量上下方向移動自在に支持される。
【００２８】
本原稿自動給送装置５は、以上のような構成からなるので、使用状態である給紙カバー４２を閉じた状態では（図２，図３（ａ）参照）、遮音部材４６は、図４（ｂ）に示すように、該遮音部材４６自体の重力により矢印Ａに示すように下方にスライドし、図３（ｂ）に示すように遮音部材４６の下端がベース部４１の上面４１ａに接触して、給紙カバー４２とべース部４１との隙間Ｇを閉塞する。これにより、原稿を給送する際に生じる騒音、例えば原稿自動給送装置内部の高周波の制御音、ローラの駆動音、原稿同士或いは原稿とガイドとの摺擦音、特に第１の搬送路Ｐ１を通って伝わる騒音が、まず突出リブ４３で遮音され、更に突出リブ４３と給紙カバー４２の隙間から漏れた騒音が、上記可動式の遮音部材４６により上記隙間Ｇが閉塞されることにより遮音される。従って、ユーザは、原稿自動給送装置からの騒音が減少した静かな環境で作業を行うことができる。
【００２９】
原稿自動給送装置５にジャムが生じた場合、ユーザは、図３（ａ）に示すように、給紙カバー４２を上方に向けて回動して、第１の搬送路Ｐ１を開放する。この状態で、該開放された第１の搬送路Ｐ１からジャムした原稿を取り除く。上記給紙カバー４２の開放に際し、遮音部材４６は、ベース部４１の上面４１ａ及び突出リブ４３に当接しながら、図３（ａ）に示すように、そのラグ４７ａが縦溝５０ａに案内されて矢印Ｂに示すように上方に移動し、突出リブ４３等と干渉することなく、給紙カバー４２は上方に向けて滑らかに回動し得る。これにより、ユーザは、給紙カバー４２の回動操作を妨げられることなく、容易かつ的確にジャム処理を行うことができる。
【００３０】
図６は、一部変更した実施の形態を示す。ガイド部材４９の上板４９ａの表面につる巻きばね５５を配設する。該つる巻きばね５５は、一端５５ａをラグ４７ａの上端に引掛け、他端５５ｂを上記上板４９ａに植設したピンに引掛けて固定する。これにより、該つる巻きばね５５は、その捩り力がラグ４７ａを下方（矢印Ａ方向）に付勢するように作用する。
【００３１】
本実施の形態によると、遮音部材４６は、上記つる巻きばね５５の下方向への付勢力により、ベース部４１との隙間Ｇを確実に閉塞する。なお、ばねは、上記つる巻きばねに限らず、遮音部材４６を下方（矢印Ａ）に向けて付勢するものであれば、圧縮ばね、引張りばね等の他のばねでもよい。
【００３２】
なお、上記説明は、シート搬送装置として原稿自動給送装置に適用して説明したが、これに限らず画像形成装置本体におけるシート搬送装置に適用してもよく、更にシート処理装置等のあらゆるシート搬送装置に適用可能であり、また開閉する給紙カバーは、ジャム処理時にシート搬送路を開放するカバー部材に適用して好適であるが、例えば図１に示す手差し用トレイ５７等の他の開閉部材にも同様に適用可能である。
【００３３】
以下、上記開示した内容をまとめて示すと以下の通りである。なお、各構成要素の図面対照符号をカッコ内に示してあるが、これにより特許請求の範囲に記載の構成に何等影響を及ぼすものではない。
【００３４】
１．ベース部（４１）と該ベース部に回動自在に連結された開閉部材（４２）とを有する筐体（２５）を備え、該筐体の内部にシートを搬送するシート搬送手段（Ｐ１〜Ｐ５）（３１〜４０）を備えたシート搬送装置（５）において、
前記開閉部材の回動支点（Ｔ）側の側板（４５）に移動自在に閉塞部材（４６）を支持し、
該閉塞部材（４６）は、前記開閉部材（４２）の閉じ位置において該開閉部材と前記ベース部との隙間（Ｇ）を閉塞し、前記開閉部材（４２）の回動に応じて前記隙間を閉塞する位置から移動することを特徴とする。
【００３５】
これにより、開閉部材を閉じた使用状態にあっては、筐体の内部で発生する騒音を閉塞部材で遮音して外部に漏れる音を減少し、ユーザは、静粛な環境で作業することができる。また、ジャム処理等により開閉部材を開放する際、閉塞部材は、開閉部材の内部方向に移動して、上記開閉部材の開放作動を妨げることはない。
【００３６】
２．前記ベース部（４１）の回動支点（Ｔ）側に、前記開閉部材（４２）に向けて突出する突出リブ（４３）を設け、
前記閉塞部材（４６）は、前記開閉部材の開放時に前記突出リブに当接して該開閉部材の内部方向に移動する。
【００３７】
これにより、ベース部に設けた突出リブにより筐体内部の騒音が漏れることを減少し、更に上記閉塞部材により隙間を閉塞して遮音するので、外部に漏れる騒音を効率よく遮音することができる。
【００３８】
３．前記開閉部材は、前記ベース部との間で構成される前記シート搬送路を分割するように開放される。
【００３９】
これにより、開閉部材を開放することにより、シート搬送路が分割されるので、ジャムしたシートを容易に処理することができる。
【００４０】
４．前記シート搬送装置は、給紙トレイ（２６）上の原稿を読取部（Ｒ）を通って排紙トレイ（２７）に向けて搬送する原稿自動給送装置（５）である。
【００４１】
これにより、原稿自動給送装置を静粛環境下で使用することができる。
【００４２】
５．前記閉塞部材（４６）は、該閉塞部材自体の重力により前記開閉部材（４２）と前記ベース部（４１）との隙間（Ｇ）を閉塞する。
【００４３】
これにより、閉塞部材は、開閉部材を閉じると重力により自動的に隙間を閉塞するように移動し、構造が簡単で足りる。
【００４４】
６．前記閉塞部材（４６）は、ばね（５５）により前記開閉部材（４２）と前記ベース部（４１）との隙間（Ｇ）を閉塞するように付勢される。
【００４５】
これにより、閉塞部材は、ばねにより確実に隙間を閉塞することができる。
【００４６】
７．前記閉塞部材（４６）は、シート搬送方向に交差するシート幅方向に長い板状部材からなり、
該閉塞部材に、上方に延びるラグ（４７ａ）と該ラグ先端に固定され該ラグと交差するように延びる横桟（４７ｂ）とを有するＴ字状の支持部材（４７）を固定し、
前記開閉部材（４２）の前記側板（４５）に、該側板と所定隙間を存して平行に配置される上板（４９ａ）を有し、該上板に縦溝（５０ａ）及び横溝（５０ｂ）からなるＴ字状の貫通孔（５０）が形成されたガイド部材（４９）を固定し、
前記支持部材（４７）を前記貫通孔（５０）に挿入して、前記ラグ（４７ａ）を前記縦溝（５０ａ）に案内すると共に、前記横桟（４７ｂ）を前記上板（４９ａ）と前記側板（４５）との間の空間に受入れて抜止めし、前記閉塞部材（４６）を前記側板（４５）に上下方向移動自在に支持する。
【００４７】
これにより、Ｔ字状の支持部材とＴ字状の貫通孔を有するガイド部材からなる簡単かつコンパクトな構成により、遮音部材を容易に開閉部材に装着できると共に、閉塞部材を開閉部材に上下方向移動自在にかつ抜止めして確実に支持することができる。
【符号の説明】
【００４８】
５      シート搬送装置（原稿自動給送装置）
２５      筐体（装置本体）
２６      給紙トレイ
２７      排紙トレイ
３１〜４０    シート搬送手段（ローラ対）
Ｐ１〜Ｐ５    シート搬送手段（シート搬送路）
４１      ベース部
４２      開閉部材（給紙カバー）
４３      突出（遮音用）リブ
４５      （左）側板
４６      閉塞（遮音）部材
４７      支持部材
４７ａ    ラグ（縦桟）
４７ｂ    横桟
４９      ガイド部材
５０      貫通孔
５０ａ    縦溝
５０ｂ    横溝
５５      （つる巻き）ばね
Ｇ      隙間
Ｔ      回動支点
Ｒ      読取部
【図１】
2016122907.tif 000003
【図２】
2016122907.tif 000004
【図３】
2016122907.tif 000005
【図４】
2016122907.tif 000006
【図５】
2016122907.tif 000007
【図６】
2016122907.tif 000008